(57)【要約】【課題】操作スイッチ内のセンサ回路基板に搭載された電子部品に対する耐静電気性能を向上させる。【解決手段】操作体１０３が、押圧操作される円盤状の操作ボタン１１１と、操作ボタン１１１と同軸に、かつ、円盤状の中心位置を軸として回転可能な状態で連結されて、押圧操作に対応して進退する円筒状のガイド１１２とから構成されることにより、操作ボタンと基板に搭載されたセンサ回路の電子部品までの沿面距離を長くすることができる。このため、操作ボタン１１１の材質が金属の場合であっても、操作ボタン１１１から進入した静電気がセンサ回路の電子部品へ到達することを防ぐことができる。本発明は、スロットマシンの操作スイッチに適用することができる。【選択図】図１０
2010232010.tif 000002
【特許請求の範囲】
【請求項１】
押圧操作される操作体と、
前記操作体を押圧方向に進退自在に支持するスイッチケースと、
前記スイッチケースに支持され、前記操作体が押圧される押圧力に抗して付勢し、付勢力に抗して押圧される前記操作体を元の押圧待機位置へと復帰させる復帰バネと、
前記操作体が押圧されたと検知する検知手段と、
前記スイッチケースに支持され、前記検知手段とスイッチ制御部品を搭載する回路基板と
を備えた操作スイッチであって、
前記操作体は、
押圧操作される円盤状の金属製部材からなる
操作ボタンと、
前記操作ボタンと同軸に、かつ、前記円盤状の中心位置を軸として回転可能な状態で連結されて、押圧操作に対応して進退する円筒状の樹脂製の動作体とから構成され、
前記スイッチケースに、
前記操作ボタンの側面を、前記操作ボタンの進退方向、および前記操作ボタンの回転方向に摺動する操作ボタン摺動部と、
前記動作体を、前記動作体の進退方向に摺動する動作体摺動部と
が構成されてなる操作スイッチ。
【請求項２】
前記操作ボタンは、
操作面を有する円盤状の第１の円盤部と、
前記第１の円盤部の前記操作面の背面側に、前記第１の円盤部と平行で、かつ、同軸に設けられた第２の円盤部と、
前記第１の円盤部と前記第２の円盤部とを同軸に接続する軸とを含み、
前記動作体は、
一方の端部に、前記操作ボタンの前記第１の円盤部を前記動作体と略同軸に配設すると共に、前記第２の円盤部を、前記動作体の摺動方向に対して垂直に、前記円筒状の側方から内挿する内挿部と、
前記内挿部に、前記第２の円盤部が内挿されるとき、前記操作ボタンの前記軸を前記円筒状の側方から通す切込部とを含み、
前記操作ボタンと前記動作体とは、前記第２の円盤部が前記内挿部に内挿されることにより連結される
請求項１に記載の操作スイッチ。
【請求項３】
前記動作体における進退方向であって、前記動作体の他方の端部に設けられた、前記操作ボタン、および前記動作体と同軸の摺動軸と、
前記スイッチケースに、
前記摺動軸を前記動作体の進退方向に摺動する摺動軸摺動部とをさらに含む
請求項１，２のいずれかに記載の操作スイッチ。
【請求項４】
前記動作体の前記他方の端部であって、前記動作体の前記摺動軸を挟んで設けられた一対の係合爪と、
前記係合爪を挿通して係合する一対の係合穴と、
前記係合爪が前記係合穴に挿通された状態で、前記係合爪の動作を規制する係合爪規制部とをさらに含む
請求項１乃至３のいずれかに記載の操作スイッチ。
【請求項５】
前記動作体の前記他方の端部に設けられ、前記動作体の進退状態に対応して、所定の光路を遮光する遮光部と、
前記遮光部が、前記動作体の進退状態に対応して所定の光路の光を遮光するか否かにより前記動作体の動作の有無を検出させるセンサと、
前記センサと、前記操作ボタンとの間に設けられた静電気防止プレートとをさらに含む
請求項１乃至４のいずれかに記載の操作スイッチ。
【発明の詳細な説明】
【技術分野】
【０００１】
本発明は、操作スイッチに関し、特に、娯楽性を高めつつも、操作スイッチ内のセンサ回路基板上に搭載された電子部品に対する耐静電気性能を向上させるようにした操作スイッチに関する。
【背景技術】
【０００２】
従来、遊技機に利用される操作スイッチ構造の一例として、回転可能な操作ボタンを進退運動することでセンサを検知させる方法が提案されている（特許文献１参照）。
【０００３】
特許文献１に記載のスイッチ構造の場合、遊技者が操作スイッチを操作すると、基体に取付られている棒状の感応棒が、スプリングが装着された操作体の進退運動によって、光センサを遮光する構造となっており、光センサが遮光される状態となったか否かが検知されることにより、スイッチの操作状態の情報として制御部に伝達される構造となっている。
【先行技術文献】
【特許文献】
【０００４】
【特許文献１】実公平７−４２４５６公報
【発明の概要】
【発明が解決しようとする課題】
【０００５】
しかしながら、特許文献１に記載の構造では操作体とセンサ回路基板上の部品までの沿面距離が短く、仮に操作体の材質が金属の場合、静電気が感応棒先端へ到達し、センサ回路基板上の部品破壊へつながる恐れがあった。
【０００６】
本発明はこのような状況に鑑みてなされたものであり、特に、操作ボタンについて、娯楽性を高めつつも、操作スイッチ内のセンサ回路基板上に搭載された電子部品に対する耐静電気性能を向上させるようにするものである。
【課題を解決するための手段】
【０００７】
本発明の一側面の操作スイッチは、押圧操作される操作体と、前記操作体を押圧方向に進退自在に支持するスイッチケースと、前記スイッチケースに支持され、前記操作体が押圧される押圧力に抗して付勢し、付勢力に抗して押圧される前記操作体を元の押圧待機位置へと復帰させる復帰バネと、前記操作体が押圧されたと検知する検知手段と、前記スイッチケースに支持され、前記検知手段とスイッチ制御部品を搭載する回路基板とを備えた操作スイッチであって、前記操作体は、押圧操作される円盤状の金属製部材からなる
操作ボタンと、前記操作ボタンと同軸に、かつ、前記円盤状の中心位置を軸として回転可能な状態で連結されて、押圧操作に対応して進退する円筒状の樹脂製の動作体とから構成され、前記スイッチケースに、前記操作ボタンの側面を、前記操作ボタンの進退方向、および前記操作ボタンの回転方向に摺動する操作ボタン摺動部と、前記動作体を、前記動作体の進退方向に摺動する動作体摺動部とから構成されてなる。
【０００８】
前記操作ボタンには、操作面を有する円盤状の第１の円盤部と、前記第１の円盤部の前記操作面の背面側に、前記第１の円盤部と平行で、かつ、同軸に設けられた第２の円盤部と、前記第１の円盤部と前記第２の円盤部とを同軸に接続する軸とを含ませるようにすることができ、前記動作体には、一方の端部に、前記操作ボタンの前記第１の円盤部を前記動作体と略同軸に配設すると共に、前記第２の円盤部を、前記動作体の摺動方向に対して垂直に、前記円筒状の側方から内挿する内挿部と、前記内挿部に、前記第２の円盤部が内挿されるとき、前記操作ボタンの前記軸を前記円筒状の側方から通す切込部とを含ませるようにすることができ、前記操作ボタンと前記動作体とは、前記第２の円盤部が前記内挿部に内挿されることにより連結されるようにすることができる。
【０００９】
前記動作体における進退方向であって、前記動作体の他方の端部に設けられた、前記操作ボタン、および前記動作体と同軸の摺動軸と、前記スイッチケースに、前記摺動軸を前記動作体の進退方向に摺動する摺動軸摺動部とをさらに含ませるようにすることができる。
【００１０】
前記動作体の前記他方の端部であって、前記動作体の前記摺動軸を挟んで設けられた一対の係合爪と、前記係合爪を挿通して係合する一対の係合穴と、前記係合爪が前記係合穴に挿通された状態で、前記係合爪の動作を規制する係合爪規制部とをさらに含ませるようにすることができる。
【００１１】
前記動作体の前記他方の端部に設けられ、前記動作体の進退状態に対応して、所定の光路を遮光する遮光部と、前記遮光部が、前記動作体の進退状態に対応して所定の光路の光を遮光するか否かにより前記動作体の動作の有無を検出させるセンサと、前記センサと、前記操作ボタンとの間に設けられた静電気防止プレートとをさらに含ませるようにすることができる。
【００１２】
本発明の一側面の操作スイッチにおいては、前記操作体により押圧操作され、前記スイッチケースにより前記操作体が押圧方向に進退自在に支持され、前記復帰バネにより前記スイッチケースに支持され、前記操作体が押圧される押圧力に抗して付勢され、付勢力に抗して押圧される前記操作体が元の押圧待機位置へと復帰され、前記操作体が押圧されたと検知され、前記スイッチケースに支持された状態で、前記回路基板に前記操作体の押圧を検知する部品およびスイッチ制御部品が搭載され、前記操作体の、円盤状の金属製部材からなる操作ボタンにより押圧操作され、前記操作ボタンと同軸に、かつ、前記円盤状の中心位置を軸として回転可能な状態で連結されて、押圧操作に対応して進退する円筒状の樹脂製の動作体とから構成される前記操作ボタン摺動部により、前記スイッチケースにおいて、前記操作ボタンの側面が、前記操作ボタンの進退方向、および前記操作ボタンの回転方向に摺動され、前記動作体摺動部により、前記動作体が、前記動作体の進退方向に摺動される。
【００１３】
本発明の一側面の操作スイッチにおける、押圧操作される円盤状の金属製部材からなる操作ボタンとは、例えば、スロットマシンの操作ボタンであり、前記操作ボタンと同軸に、かつ、前記円盤状の中心位置を軸として回転可能な状態で連結されて、押圧操作に対応して進退する円筒状の動作体とは、例えば、ガイドであり、前記操作ボタンの側面を、前記操作ボタンの進退方向、および前記操作ボタンの回転方向に摺動する操作ボタン摺動部とは、スロットマシンの操作ボタンを摺動させる操作ボタン摺動部であり、前記動作体を、前記動作体の進退方向に摺動する動作体摺動部とは、例えば、ガイド摺動部である。
【００１４】
すなわち、押圧操作される円盤状の操作ボタンと、操作ボタンと同軸に、かつ、前記円盤状の中心位置を軸として回転可能な状態で連結されて、押圧操作に対応して進退する円筒状のガイドとから構成されることにより、操作ボタンと基板に搭載されたセンサ回路の電子部品までの沿面距離を長くすることができる。
【００１５】
このため、金属製部材からなる操作ボタンであっても、操作ボタンから進入した静電気がセンサ回路の電子部品へ到達することを防ぐことができ、センサ回路の電子部品を電気的に保護することが可能となり、操作スイッチに装着される電子部品に対する耐静電気性能を向上させることが可能となる。
【発明の効果】
【００１６】
本発明によれば、娯楽性を高めつつも、操作スイッチ内のセンサ回路基板に搭載された電子部品に対する耐静電気性能を向上させることが可能となる。
【図面の簡単な説明】
【００１７】
【図１】本発明に掛かる操作スイッチを利用したスロットマシンを示す図である。
【図２】図１の操作スイッチを説明する図である。
【図３】図１の操作スイッチの分解斜視図である。
【図４】図３のカバーの背面図である。
【図５】図３の操作ボタンを説明する図である。
【図６】図３のガイドを説明する図である。
【図７】操作ボタンとガイドとの連結を説明する図である。
【図８】図１の操作スイッチの断面図である。
【図９】図３のレンズを説明する図である。
【図１０】図１の操作スイッチのその他の断面図である。
【図１１】図１の操作スイッチのその他の断面図である。
【発明を実施するための最良の形態】
【００１８】
以下に本発明の実施の形態を説明するが、本発明の構成要件と、発明の詳細な説明に記載の実施の形態との対応関係を例示すると、次のようになる。この記載は、本発明をサポートする実施の形態が、発明の詳細な説明に記載されていることを確認するためのものである。従って、発明の詳細な説明中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００１９】
すなわち、本発明の一側面の操作スイッチは、押圧操作される操作体（例えば、図１０の操作体１１１）と、前記操作体を押圧方向に進退自在に支持するスイッチケース（例えば、図１０のスイッチケ−ス１０６）と、前記スイッチケースに支持され、前記操作体が押圧される押圧力に抗して付勢し、付勢力に抗して押圧される前記操作体を元の押圧待機位置へと復帰させる復帰バネ（例えば、図１０のバネ１０４）と、前記操作体が押圧されたと検知する検知手段（例えば、図１０のセンサ１３２）と、前記スイッチケースに支持され、前記検知手段とスイッチ制御部品を搭載する回路基板（例えば、図１０の基板１０７）と、を備えた操作スイッチであって、前記操作体（例えば、図１０の操作体１０３）は、押圧操作される円盤状の金属製部材からなる操作ボタン（例えば、図１０の操作ボタン１１１）と、前記操作ボタンと同軸に、かつ、前記円盤状の中心位置を軸として回転可能な状態で連結されて、押圧操作に対応して進退する円筒状の樹脂製の動作体（例えば、図１０のガイド１１２）とから構成され、前記スイッチケースに、前記操作ボタンの側面を、前記操作ボタンの進退方向、および前記操作ボタンの回転方向に摺動する操作ボタン摺動部（例えば、図１０の操作ボタン摺動部２５２）と、前記動作体を、前記動作体の進退方向に摺動する動作体摺動部（例えば、図１０のガイド摺動部２５３）とが構成されてなる。
【００２０】
前記操作ボタン（例えば、図５の操作ボタン１１１）には、操作面を有する円盤状の第１の円盤部（例えば、図５の大円盤部２０１）と、前記第１の円盤部の前記操作面の背面側に、前記第１の円盤部と平行で、かつ、同軸に設けられた第２の円盤部（例えば、図５の小円盤部２０２）と、前記第１の円盤部と前記第２の円盤部とを同軸に接続する軸（例えば、図５の軸２０３）とを含ませるようにすることができ、前記動作体（例えば、図６のガイド１１２）には、一方の端部に、前記操作ボタンの前記第１の円盤部を前記動作体と略同軸に配設すると共に、前記第２の円盤部を、前記動作体の摺動方向に対して垂直に、前記円筒状の側方から内挿する内挿部と、前記内挿部（例えば、図６の内挿部２２３）に、前記第２の円盤部が内挿されるとき、前記操作ボタンの前記軸を重力方向に対向する方向から通す切込部（例えば、図６の切込部２２８）とを含ませるようにすることができ、前記操作ボタンと前記動作体とは、前記第２の円盤部が前記内挿部に内挿されることにより連結されるようにすることができる。
【００２１】
前記動作体における進退方向であって、前記動作体の他方の方向の端部に設けられた、前記操作ボタン、および前記動作体と同軸の摺動軸（例えば、図１０の摺動軸２２４）と、前記スイッチケースに、前記摺動軸を前記動作体の進退方向に摺動する摺動軸摺動部（例えば、図１０の摺動穴１２１）とをさらに含ませるようにすることができる。
【００２２】
前記動作体の前記他方の端部であって、前記動作体の前記摺動軸を挟んで設けられた一対の係合爪（例えば、図６の係合爪２２５−１，２２５−２）と、前記係合爪を挿通して係合する一対の係合穴（例えば、図３の係合穴１０７ｂ，１０７ｃ）と、前記係合爪が前記係合穴に挿通された状態で、前記係合爪の動作を規制する係合爪規制部（例えば、図３の隙間用リブ１４１）とをさらに含ませるようにすることができる。
【００２３】
前記動作体の前記他方の端部に設けられ、前記動作体の進退状態に対応して、所定の光路を遮光する遮光部（例えば、図６の遮光片２２１）と、前記遮光部が、前記動作体の進退状態に対応して所定の光路の光を遮光するか否かにより前記動作体の動作の有無を検出させるセンサ（例えば、図３のセンサ１３２）と、前記センサと、前記操作ボタンとの間に設けられた静電気防止プレート（例えば、図３の静電気防止プレート１０２）とをさらに含ませるようにすることができる。
【００２４】
［操作スイッチの一実施の形態の構成例］
図１は、本発明に係る操作スイッチを利用したスロットマシンを示す図である。
【００２５】
この操作スイッチ１１は、例えば、図１のスロットマシン（回胴式遊技機）１の正面部に設けられており、図２で示されるように、同一平面に水平方向に配設された３個の操作ボタン１１１−１乃至１１１−３からなるスイッチであり、３つの回転しているリール毎に回転を停止させるとき操作される。
【００２６】
尚、図２は、操作スイッチ１１がスロットマシン１より取り出されたときの外観斜視図である。また、ボタン１１１−１乃至１１１−３は、同一の構造であるので、これらを特に区別する必要がない場合、単に操作ボタン１１１と称するものとし、その他の構成についても同様に称するものとする。
【００２７】
［操作スイッチの分解斜視図］
次に、図３の操作スイッチ１１の分解斜視図を参照して、操作スイッチ１１の構成を詳細に説明する。
【００２８】
カバー１０１は、図１で示されるようにスロットマシン１の操作面の一部を構成するものである。カバー１０１は、図４で示されるように、その内部にボス１７１−１，１７１−２が設けられており、それぞれ静電気防止プレートの孔部１０２ａ−１，１０２ａ−２、およびスイッチケース１０６の孔部１０６ａ−１，１０６ａ−２に挿通され、基板１０７の孔部１０７ａ−１，１０７ａ−２、およびベース１０８の孔部１４２−１，１４２−２に挿通されるビス１０９−１，１０９−２により螺合される。
【００２９】
静電気防止プレート１０２は、操作ボタン１１１−１乃至１１１−３、およびカバー１０１より進入する静電気を遮断し、基板１０７上のセンサ１３２−１乃至１３２−３を電気的に保護する。
【００３０】
操作体１０３−１乃至１０３−３は、それぞれ操作ボタン１１１−１乃至１１１−３およびガイド１１２−１乃至１１２−３より構成されている。
【００３１】
操作ボタン１１１は、図５で示されるように、大円盤部２０１、および小円盤部２０２のそれぞれの中央部が、同軸に軸２０３により接合された形状により構成されている。
【００３２】
また、ガイド１１２は、図６で示されるように、円筒状の側面部からなる進退摺動部２２２と、図３における図中の下方向に、円筒状のガイド１１２と同心状に設けられた摺動軸２２４、進退摺動部２２２の摺動面の一部が共用される係合爪２２５−１，２２５−２、および基板７に設けられたセンサ１３２の光軸を遮光するための遮光片２２１より構成される。
【００３３】
尚、図５は、上段が操作ボタン１１１の断面を含む上面方向からの斜視図であり、中段が図３における底面方向からの斜視図であり、下段が上面方向からの斜視図である。また、図６は、上段がガイド１１２の底面方向からの斜視図であり、下段が上面方向からの斜視図である。
【００３４】
ガイド１１２は、進退摺動部２２２の摺動面の一部に、操作ボタン１１１の小円盤部２０２を操作ボタン１１１の進退方向に対して垂直に、内挿可能な内挿部２２３が設けられている。さらに、ガイド１１２には、操作ボタン１１１の小円盤部２０２を内挿部２２３に内挿させる際、軸２０３と略同幅の切込部２２８が設けられ、切込部２２８の端部は、軸２０３が当接することにより、軸２０３の軸受け２２７として機能する。また、この切込部２２８は、スイッチケース１０６の凹部１０６ｂ−１乃至１０６ｂ−３に挿入されて組み込まれる際、操作面に対して重力の方向（垂直下方向（図６における図中の下方向））に位置するように構成されている。
【００３５】
すなわち、図７の上段で示されるように、操作ボタン１１１は、その小円盤部２０２が内挿部２２３に内挿され、併せて、軸２０３が切込部２２８に挿入されると、軸２０３が軸受け２２７に当接することにより、図７の下段で示されるように、操作ボタン１１１の軸２０３が軸受け２２７において回転可能な状態で、操作ボタン１１１と進退摺動部２２２が連結される。軸受け２２７は、軸２０３が当接すると、操作ボタン１１１の大円盤部２０１の中心が、円筒状のガイド１１２の略中心位置となるように構成されている。
【００３６】
このように操作ボタン１１１は、ガイド１１２と同軸であって、かつ、軸２０３を中心として、回転可能な構成とされている。したがって、操作ボタン１１１の大円盤部２０１の操作面の裏側である背面部２０１ａと、ガイド１１２の、図６の下段における図中の右方向の底面部２２６とは、相互に対向した状態で当接し、それぞれが操作ボタン１１１の回転方向に摺動することにより摺動面が形成される。また、切込部２２８が、操作面に対して下方向（図６における図中の下方向）に設けられているので、例えば、進退方向に対して垂直下方向に操作ボタン１１１が操作されるようなことがあっても、操作ボタン１１１の操作に基づいて発生した進退方向の力は軸２０３には伝達されるが、下方向に切込部２２８が構成されているため、進退方向と異なる下方向の力は軸２０３からガイド１１２には伝達されない。
【００３７】
このため、操作ボタン１１１は、操作方法に応じて、進退方向のみではなく、様々な方向に対して応力が掛けられる可能性があるが、切込部２２８により進退方向以外の方向のうち、特に大きな力が掛けられる可能性の高い下方向の応力を除外することになるので、ガイド１１２に対して特にダメージが大きくなる下方向の応力を遮断し、それ以外の方向からの力を、進退方向のみの動きに変換させることが可能となる。
【００３８】
操作体１０３が、操作ボタン１１１およびガイド１１２の２部品で構成されることにより、操作ボタン１１１は金属性材質からなるものであるが、操作ボタン１１１と基板１０７に搭載されたセンサ回路の電子部品までの沿面距離を長くすることで、操作ボタン１１１から進入した静電気の到達を防ぐことができ、センサ回路の電子部品を電気的に保護することが可能となる。尚、操作ボタン１１１は、金属製部材以外のものから構成されてもよく、例えば、芯材を樹脂材とし、表面に金属メッキを施すような構成としてもよい。
【００３９】
また、ガイド１１２は、樹脂製の部材で形成されており、操作ボタン１１１から進入してきた静電気が基板１０７に搭載されたセンサ回路の電子部品へ到達することを防ぐことが可能となる。
【００４０】
さらに仮に操作ボタン１１１およびガイド１１２の材質が樹脂の場合であっても、操作ボタン１１１と後述するレンズ１０５との隙間から進入してきた静電気が基板１０７に搭載されたセンサ回路の電子部品へ到達することを防ぐことが可能となる。
【００４１】
このように操作ボタン１１１の小円盤部２０２を内挿部２２３に内挿させ、切込部２２８から挿入させて、操作ボタン１１１と進退摺動部２２２が連結させる構造とすることにより、組み立て易い構成とすることができ、組み立て工数を低減することが可能となる。
【００４２】
また、操作体１０３が、操作ボタン１１１およびガイド１１２の2部品で構成することにより、部品間相互にクリアランスが生じるので、操作ボタン１１１の回転に伴う抵抗が小さくなり、回転し易い構造となっている。
【００４３】
レンズ１０５−１乃至１０５−３は、透明の樹脂状のもので構成されており、それぞれスイッチケース１０６の凹部１０６ｂ−１乃至１０６ｂ−３に挿入されている。また、図８の最上段で示されるように、スイッチケース１０６の背面に配設された基板１０７上のLED（Light Emitting Diode）１３３−１乃至１３３−９が、スイッチケース１０６に設けられた小穴より突出した状態で構成されているので、図９で示されるレンズ１０５の凹部２５１−１乃至２５１−３は、LED１３３−１乃至１３３−９により発せられる光を、図１０の点線で示されるように反射させながら発光面２５４より発する。レンズ１０５は、筒状のものであり、筒内に操作体１０３が挿入される。
【００４４】
ここで、図８においては、最上段が、図８の最下段におけるＡＢ−ＡＢ断面であり、２段目が最下段におけるＡＡ−ＡＡ断面である。また、図９は、上段がレンズ部１０５の図３における底面方向からの斜視図であり、下段がレンズ部１０５の上面方向からの斜視図である。さらに、図１０は、図８の最下段におけるＡＣ−ＡＣ断面である。
【００４５】
図９で示されるように、レンズ１０５は、上から順に口径が小さくなるように２段の筒状の構造となっており、径の小さな小口径部は、ガイド１１２の進退摺動部２２２と略同径であり、大口径部は、操作ボタン１１１の大円盤部２０１と略同径とされており、その深さは、大円盤部２０１の厚さと略同じ深さである。また、小口径部には、ガイド１１２の係合爪２２５−１，２２５−２をそれぞれガイドするための溝２５５−１，２５５−２が設けられている。
【００４６】
これにより、操作ボタン１１１とガイド１１２とが連結された状態でレンズ１０５に挿通されると進退摺動部２２２が、小口径部の内面に設けられた略凸状のガイド摺動部２５３と当接すると共に、操作ボタン１１１の大円盤部２０１の側面の摺動部２０１ｂが、大口径部の内面に設けられた略凸状の操作ボタン摺動部２５２と当接する構成となっている。
【００４７】
すなわち、進退摺動部２２２と、レンズ１０５のガイド摺動部２５３とは当接されており、進退方向に摺動可能な構成となっており、さらに、操作ボタン１１１の大円盤部２０１の摺動部２０１ｂは、レンズ１０５の操作ボタン摺動部２５２と当接して進退方向に摺動することにより進退動作が可能となっている他、進退摺動部２２２に対して回転可能な状態で連結されているので、回転方向に対して摺動可能となっている。
【００４８】
スイッチケース１０６の凹部１０６ｂ−１乃至１０６ｂ−３には、底部の略中央に筒状で、かつ、ガイド１１２の摺動軸２２４の径と略同径の摺動穴１２１−１乃至１２１−３が設けられており、図８の中段で示されるように、それぞれ摺動軸２２４が略同径のバネ１０４−１乃至１０４−３に挿通された状態で、摺動穴１２１−１乃至１２１−３に嵌合される。
【００４９】
このため、操作ボタン１１１が図３における図中の下方向に押圧されると、摺動軸２２４が挿通されているバネ１０４が、ガイド１１２の摺動軸２２４の根元の面により押圧されて圧縮され、摺動軸２２４が摺動穴１２１内を摺動しながら嵌合される。
【００５０】
基板１０７には、LED１３３−１乃至１３３−９、センサ１３２−１乃至１３２−３、およびコネクタ１３１が設けられている。また、基板１０７には、６箇所の係合穴１０７ｂ−１乃至１０７ｂ−３，１０７ｃ−１乃至１０７ｃ−３が設けられている。係合穴１０７ｂ−１，１０７ｃ−１が、操作体１０３−１に、係合穴１０７ｂ−２，１０７ｃ−２が、操作体１０３−２に、係合穴１０７ｂ−３，１０７ｃ−３が、操作体１０３−３に、それぞれ対応して対になっており、ガイド１１２の係合爪２２５−１，２２５−２を挿通する。係合爪２２５−１，２２５−２は、その端部が、相互に逆方向に突出している楔状の凸部を構成しており、さらに、上述した１対の係合穴１０７ｂ，１０７ｃの端部の間隔よりも広く設定されているため、係合爪２２５−１，２２５−２の凸部が、一対の係合穴１０７ｂ，１０７ｃの端部によりガイド１１２の円筒部中心方向に対して押圧されることにより、係合爪２２５−１，２２５−２が摘まれる様に、たわみながら係合穴１０７ｂ，１０７ｃを挿通し、係合爪２２５−１，２２５−２の凸部が、一対の係合穴１０７ｂ，１０７ｃの端部を通過した後は、係合爪２２５−１，２２５−２の凸部が一対の係合穴１０７ｂ，１０７ｃの端部からの押圧から開放されることにより、係合爪２２５−１，２２５−２のそれぞれの復元力により、係合穴１０７ｂ，１０７ｃに挿通された状態で元の形状に戻り、係合爪２２５−１，２２５−２が、それぞれ係合穴１０７ｂ、１０７ｃに係合される。
【００５１】
このため、操作ボタン１１１が操作され、連結されたガイド１１２がバネ１０４の反発力に打ち勝って、図３の下方向に押し込まれると、摺動軸２２４の端部が、摺動穴１２１内で摺動しながら操作ボタン１１１の大円盤部２０１の操作面の裏側である背面部２０１ａが、レンズ１０５に当接するまで動作することができる。逆に、操作ボタン１１１が操作されない場合、ガイド１１２が、バネ１０４の反発力により、図３の上方向に押し返されるが、係合爪２２５の端部の楔状の凸部により基板１０７の係合穴１０７ｂ，１０７ｃに係合される。
【００５２】
ベース１０８には、隙間用リブ１４１−１乃至１４１−３が設けられている。隙間用リブ１４１は、図８の中段で示されるように、係合爪２２５−１，２２５−２の内側に対向して設けられた略曲面状の壁面であり、これにより係合爪２２５−１，２２５−２を内側にたわませても、係合爪２２５−１,２２５−２が隙間用リブ１４１に当接することになる。。このため、カバー１０１のボス１７１−１，１７１−２に螺合されたビス１４２−１，１４２−２を外して、ベース１０８を分解しない限り、係合爪２２５−１，２２５−２を内側にたわませることができないので、係合穴１０７ｂ，１０７ｃに係合された状態を維持することができ、不正に基板１０７をスイッチケース１０６から外すことができないので、センサ１３２の検出結果に基づいて判断される操作ボタン１１１の操作の有無の結果を不正に改変できないようにすることができる。
【００５３】
［操作スイッチの動作説明］
次に、図１０，図１１を参照して、操作スイッチの動作について説明する。尚、図１０，図１１は、図８の下段におけるＡＣ−ＡＣ断面図であり、図１０，図１１中の上下関係については、図８の最下段における上下関係と対応しており、図１０，図１１の左右は、左方向が図８の正面方向であり、右方向が図８の背面方向である。
【００５４】
すなわち、操作ボタン１１１が、押圧操作されると、操作ボタン１１１の大円盤部２０１の側面の摺動部２０１ｂと、レンズ１０５の操作ボタン摺動部２５２とが摺動面を形成し、図中の右方向に摺動する。このとき、大円盤部２０１に押圧された力が、軸２０３を介して、小円盤部２０２に伝達される。さらに、小円盤部２０２は、内挿部２２３に内挿されており、これによりガイド１１２に連結されているので、受けた力をガイド１１２に伝達する。また、切込部２２８は、進退方向（操作ボタン１１１の操作方向）に対して垂直下方向に切り込まれており、かつ、内挿部２２３も同様に下方向に開口しているので、操作ボタン１１１が、雑に操作されて、小円盤部２０２、および軸２０３により生じる進退方向以外の方向の力のうち、最も大きな力となりうる下方向の応力をガイド１１２に伝達しない。このため、操作ボタン１１１が押圧操作される際、進退方向に発生する力が、効率よくガイド１１２に伝達され、それ以外の方向の力が低減される。
【００５５】
ガイド１１２は、進退方向に受けた力により、図中の右方向に押圧されるので、ガイド１１２の進退摺動部２２２と、レンズ１０５のガイド摺動部２５３とが摺動面を形成し、図中の右方向に摺動する。
【００５６】
このとき、ガイド１１２の摺動軸２２４に挿通されているバネ１０４は、その両端部が、摺動穴１２１の外周部と摺動軸２２４の根元に当接している。このため、ガイド１１２が、図中の右方向に対して摺動するとき、バネ１０４による反発力が生じる。このため、操作ボタン１１１を介して伝達されるガイド１１２の押圧力が、バネ１０４の反発力に打ち勝つように掛けられると、図１１で示されるように、操作体１０３（操作ボタン１１１、およびガイド１１２）が一体となって図中の右方向に摺動する。
【００５７】
この操作体１０３の摺動に伴って、ガイド１１２の遮光片２２１が、図１１で示されるように、センサ１３２の光軸ＳＡを遮光することにより、センサ１３２は、操作ボタン１１１が押圧されたことを検出する。
【００５８】
このため、操作ボタン１１１の大円盤部２０１の側面の摺動部２０１ｂと、レンズ１０５の操作ボタン摺動部２５２とにより形成される摺動面、および、ガイド１１２の進退摺動部２２２と、レンズ１０５のガイド摺動部２５３とにより形成される摺動面とが、独立して形成され、それぞれが操作ボタン１１１の進退方向に対して摺動する。さらに、切込部２２８、および内挿部２２３が、いずれも進退方向に対して下方向に開口するように設けられているので、操作ボタン１１１により発生される応力のうち、特に、摺動軸２２４の破損に影響の大きな下方向の応力をガイド１１２に伝達しないようにすると共に、それ以外の力を進退方向の力として伝達する。
【００５９】
結果として、操作ボタン１１１の大円盤部２０１の中央位置で押圧されることにより、進退方向に対して平行して押圧されるだけでなく、中央位置から外れた位置で押圧され、進退方向に対して平行ではない角度から応力が加えられても、それぞれ独立して形成される２箇所の摺動面により操作体１０３全体を進退方向に規制して摺動させることが可能になると共に、切込部２２８、および内挿部２２３により、ガイド１１２に進退方向以外の力のうち、垂直下方向の力を低減することができるので、摺動軸２２４に進退方向以外の方向に対してかかる応力を小さくすることができ、摺動穴１２１内で摺動軸２２４が折れるといった破損を抑制することが可能となる。
【００６０】
また、操作ボタン１１１の大円盤部２０１の側面の摺動部２０１ｂと、レンズ１０５の摺動部２５２とにより形成される摺動面、および、操作ボタン１１１の大円盤部２０１の背面部２０１ａと、ガイド１１２の底面部２２６とにより形成される摺動面とが独立して摺動面を構成することにより、操作ボタン１１１は、ガイド１１２の軸受け２２７により軸２０３を中心として回転可能であるので、遊技者は自由に操作ボタン１１１を回転させることができ、遊技の娯楽性を向上させることが可能となる。
【００６１】
さらに、操作体１０３は、操作ボタン１１１およびガイド１１２の２部品で構成されている。このため、操作ボタン１１１の材質が金属の場合であっても、操作ボタン１１１と基板１０７に搭載されたセンサ回路の電子部品までの沿面距離を長くすることができるので、操作ボタン１１１から進入した静電気の到達を防ぐことができ、センサ回路の電子部品を電気的に保護することが可能となる。
【００６２】
また、ガイド１１２の材質を樹脂で形成すれば、操作ボタン１１１から進入してきた静電気が基板１０７に搭載されたセンサ回路の電子部品へ到達することを、さらに防ぐことが可能となる。
【００６３】
さらに仮に操作ボタン１１１およびガイド１１２の材質が樹脂の場合であっても、操作ボタン１１１とレンズ１０５との隙間から進入してきた静電気が基板１０７に搭載されたセンサ回路の電子部品へ到達することを防ぐことが可能となる。
【００６４】
すなわち、操作ボタン１１１およびガイド１１２として様々な材質を利用するようにしても、耐静電気性能を向上させることができる。
【００６５】
また、操作ボタン１１１の小円盤部２０２を内挿部２２３に内挿させ、切込部２２８から挿入させて、操作ボタン１１１と進退摺動部２２２が連結させる構造とすることにより、組み立て易い構成とすることができ、部品点数や組み立て工数を低減することが可能となる。
【００６６】
なお、本発明の実施の形態では、操作ボタン１１１の軸２０３を切込部２２８へ通す際、重力方向に対向する方向から通すように説明したが、重力方向から通すようにしても良い。
【符号の説明】
【００６７】
１１  操作スイッチ
１０１  カバー
１０２  静電気防止プレート
１０３，１０３−１乃至１０３−３  操作体
１０４，１０４−１乃至１０４−３  バネ
１０５，１０５−１乃至１０５−３  レンズ
１０６  スイッチケース
１０７  基板
１０８  ベース
１１１  操作ボタン
１１２  ガイド
１３２，１３２−１乃至１３２−３  センサ
１３３，１３３−１乃至１３３−９  LED
１４１，１４１−１乃至１４１−３  隙間用リブ
【図１】
2010232010.tif 000003
【図２】
2010232010.tif 000004
【図３】
2010232010.tif 000005
【図４】
2010232010.tif 000006
【図５】
2010232010.tif 000007
【図６】
2010232010.tif 000008
【図７】
2010232010.tif 000009
【図８】
2010232010.tif 000010
【図９】
2010232010.tif 000011
【図１０】
2010232010.tif 000012
【図１１】
2010232010.tif 000013